(57)【特許請求の範囲】
【請求項１】
天井部に配置された支持部材に、紐状の取付部材を介してシート状部材を取り付ける天井養生構造において、
前記取付部材は、紐部材と、前記紐部材の両端部に設けられた連結部材とを備えており、
前記紐部材の両端部は、前記シート状部材の周縁部に設けられた係止リングから下方に延出するとともに、前記紐部材の中間部は、前記係止リングから上方に延在して前記支持部材に巻き掛けられており、
前記連結部材は、前記係止リングを通過可能な形状であり、且つ前記連結部材の外形寸法のうち最も長い寸法が、前記係止リングの内径寸法よりも大きい
ことを特徴とする天井養生構造。
【請求項２】
前記連結部材は、互いに着脱可能な一対のコードストッパにて構成されており、
前記一対のコードストッパは、前記係止リングの下方で一体化されて、前記係止リングを係止している
ことを特徴とする請求項１に記載の天井養生構造。
【請求項３】
前記シート状部材は複数設けられ、隣り合う前記シート状部材の前記係止リング同士が、前記支持部材の下方で上下方向に重なり合っており、
前記紐部材は、重なり合った前記係止リングの両方に挿通している
ことを特徴とする請求項１または請求項２に記載の天井養生構造。
【請求項４】
天井部に配置された支持部材に、紐状の取付部材を介してシート状部材が取り付けられており、
前記取付部材は、紐部材と、前記紐部材の両端部に設けられた連結部材とを備え、
前記紐部材の両端部は、前記シート状部材の周縁部に設けられた係止リングから下方に延出するとともに、前記紐部材の中間部は、前記係止リングから上方に延在して前記支持部材に巻き掛けられており、
前記連結部材は、前記係止リングを通過可能な形状であり、且つ前記連結部材の外形寸法のうち最も長い寸法が、前記係止リングの内径寸法よりも大きい形状である天井養生構造から前記シート状部材を一時的に撤去して復旧するシート状部材の一時撤去復旧方法であって、
前記取付部材を前記支持部材に巻き掛けたまま残置した状態で、前記連結部材を下側から前記係止リングに通過させて前記シート状部材を一時撤去し、残置した前記取付部材を用いて前記シート状部材を再度取り付ける
ことを特徴とするシート状部材の一時撤去復旧方法。
【発明の詳細な説明】
【技術分野】
【０００１】
本発明は、天井部に配置された支持部材にシート状部材を取り付ける天井養生構造およびシート状部材の一時撤去復旧方法に関する。
【背景技術】
【０００２】
たとえば店舗や駅構内などの通路では、日中、人の通行があるため、天井の改修工事（天井材の貼り替えや天井下地の交換など）は、夜間に何日もかけて行うことが多い。この場合、日中には通路の上部に、資材の落下を防止するためのシート状部材（養生シートや養生ネットなど）を設置する。シート状部材は、天井部の支持部材に取り付ける。シート状部材は、結び紐、バインド線、タッカー針あるいはビスなどによって、支持部材に取り付けられている。また、その他の取付部材としては、たとえば特許文献１に示すようなものも用いられている。
【０００３】
特許文献１に記載された構成は、結び紐やバインド線に代えて、コイル状に成形した結束金具を用いて養生シートを取り付けている。結束金具を支持部材に固定するとともに、結束金具の端部の鉤状部分に養生シートの結束用リングを係止している。
【先行技術文献】
【特許文献】
【０００４】
【特許文献１】特開２００２−２７６１６０号公報
【発明の概要】
【発明が解決しようとする課題】
【０００５】
結び紐、バインド線、タッカー針あるいはビスなどを用いてシート状部材を固定するには、結び紐を結ぶ作業、バインド線を巻き止める作業やビスを締め付ける作業に多くの手間を要する。また、バインド線やタッカー針を用いる場合には、シート状部材を傷めてしまう問題があった。一方、特許文献１の構成では、別途に結束金具を形成する必要があるとともに、結束金具を天井部に着脱する手間を要する問題があった。
【０００６】
このような観点から、本発明は、シート状部材を傷付けず、シート状部材を容易に取り付けることができる天井養生構造およびシート状部材の一時撤去復旧方法を提供することを課題とする。
【課題を解決するための手段】
【０００７】
前記課題を解決するための請求項１に係る発明は、天井部に配置された支持部材に、紐状の取付部材を介してシート状部材を取り付ける天井養生構造において、前記取付部材は、紐部材と、前記紐部材の両端部に設けられた連結部材とを備えており、前記紐部材の両端部は、前記シート状部材の周縁部に設けられた係止リングから下方に延出するとともに、前記紐部材の中間部は、前記係止リングから上方に延在して前記支持部材に巻き掛けられており、前記連結部材は、前記係止リングを通過可能な形状であり、且つ前記連結部材の外形寸法のうち最も長い寸法が、前記係止リングの内径寸法よりも大きいことを特徴とする天井養生構造である。
【０００８】
このような天井養生構造によれば、紐部材を支持部材に巻き掛けた状態で、連結部材を係止リングに通し、係止リングを連結部材に係止させることで、容易にシート状部材を支持部材に取り付けることができる。また、連結部材を係止リングに挿通させて、係止リングを係止させるので、シート状部材が傷付くことはない。
【０００９】
請求項２に係る発明は、前記連結部材は、互いに着脱可能な一対のコードストッパにて構成されており、前記一対のコードストッパは、前記係止リングの下方で一体化されて、前記係止リングを係止していることを特徴とする。
【００１０】
このような天井養生構造によれば、コードストッパが連結部材の略半分の大きさであるので、小さい係止リングや狭い隙間を通過させることができる。また、コードストッパの下方に紐部材の端部を引っ張って固定すれば、支持部材の周りの紐部材を絞って支持部材の周囲に追従させることができ、シート状部材を安定した状態で取り付けることができる。
【００１１】
請求項３に係る発明は、前記シート状部材は複数設けられ、隣り合う前記シート状部材の前記係止リング同士が、前記支持部材の下方で上下方向に重なり合っており、前記紐部材は、重なり合った前記係止リングの両方に挿通していることを特徴とする。
【００１２】
このような構成によれば、隣り合うシート状部材の端縁部同士を重ね合わせて固定できるので、シート状部材間の隙間を塞ぐ作業が不要となる。
【００１５】
請求項４に係る発明は、天井部に配置された支持部材に、紐状の取付部材を介してシート状部材が取り付けられており、前記取付部材は、紐部材と、前記紐部材の両端部に設けられた連結部材とを備え、前記紐部材の両端部は、前記シート状部材の周縁部に設けられた係止リングから下方に延出するとともに、前記紐部材の中間部は、前記係止リングから上方に延在して前記支持部材に巻き掛けられており、前記連結部材は、前記係止リングを通過可能な形状であり、且つ前記連結部材の外形寸法のうち最も長い寸法が、前記係止リングの内径寸法よりも大きい形状である天井養生構造から前記シート状部材を一時的に撤去して復旧するシート状部材の一時撤去復旧方法であって、前記取付部材を前記支持部材に巻き掛けたまま残置した状態で、前記連結部材を下側から前記係止リングに通過させて前記シート状部材を一時撤去し、残置した前記取付部材を用いて前記シート状部材を再度取り付けることを特徴とするシート状部材の一時撤去復旧方法である。
【００１６】
このようなシート状部材の一時撤去復旧方法によれば、シート状部材の一時撤去および復旧作業を行う際に、取付部材の撤去および取付作業を省略できるので、シート状部材の撤去および取付作業を行うだけで済む。したがって、作業手間を低減できる。
【発明の効果】
【００１７】
本発明に係る天井養生構造およびシート状部材の一時撤去復旧方法によれば、シート状部材を傷付けず、シート状部材を容易に取り付けることができるといった優れた効果を発揮する。
【図面の簡単な説明】
【００１８】
【図１】（ａ）は本発明の第一実施形態に係る天井養生構造を示した断面図、（ｂ）はコードストッパを示した断面図である。
【図２】本発明の第一実施形態に係る天井養生構造を下側から見上げた斜視図である。
【図３】（ａ）、（ｂ）、（ｃ）は、本発明の第一実施形態に係る天井養生構造を形成する作業手順を示した側面図である。
【図４】取付部材を用いてシート状部材同士を固定した状態を示した断面図である。
【図５】（ａ）は本発明の第二実施形態に係る天井養生構造を示した断面図、（ｂ）はコードストッパを示した断面図である。
【図６】（ａ）、（ｂ）、（ｃ）は、本発明の第二実施形態に係る天井養生構造を形成する作業手順を示した側面図である。
【図７】本発明の第二実施形態に係る天井養生構造の変形例を示した断面図である。
【発明を実施するための形態】
【００１９】
本発明の第一実施形態に係る天井養生構造およびシート状部材の取付部材について図面を参照しつつ詳細に説明する。本実施形態では、上階の梁または床スラブから垂下された吊りボルトに固定された野縁受け（支持部材）に、養生シート（シート状部材）を取り付けた場合を例に挙げて説明する。なお、説明において同一要素には同一の符号を用い、重複する説明は省略する。
【００２０】
図２に示すように、本実施形態に係る天井養生構造１は、天井部に配置された支持部材２に、紐状の取付部材１０を介して資材落下防止用のシート状部材３を取り付ける構造である。
【００２１】
支持部材２は、梁または床スラブから延在する吊りボルト（図示せず）の下部に固定された野縁受けからなる。野縁受けは、たとえば、アルミニウム合金製のＣ型チャンネルからなり、水平方向に延在している。野縁受けは、所定間隔に配置された吊りボルトに吊り金具を介して固定されている。なお、野縁受けは、前記構成に限定されるものではなく、必要な強度を備えていれば、他の材質のものであってもよいし、Ｃ型チャンネル以外のものであってもよい。また、支持部材２は、野縁受け以外のものであってもよく、取付部材１０を巻き掛けることができれば、野縁や、梁の下部に固定された小梁などでもよい。
【００２２】
図１の（ａ）にも示すように、シート状部材３は、たとえば網状の養生シートからなる。養生シートの周縁部には、係止リング４が設けられている。係止リング４は複数設けられており、周方向に所定間隔をあけて配置されている（図２参照）。係止リング４は、取付部材１０が通過する貫通孔を構成している。係止リング４は、金属などの硬質の材料にて構成されており、主に養生シートを固定するために利用される。
【００２３】
取付部材１０は、紐部材１１と、コードストッパ１２を備えている。コードストッパ１２の両端部に、紐部材１１の端部１１ｂ，１１ｂがそれぞれ挿通する。紐部材１１は、養生シートを吊り下げて固定可能な強度と、支持部材２の表面に沿って巻き掛け可能な可撓性とを備えている。紐部材１１は、支持部材２に巻き掛けられて、その両端部が係止リング４を挿通できる長さを備えている。紐部材１１は、強度と可撓性を備えていれば、繊維、樹脂、金属など材質を問わない。
【００２４】
紐部材１１の中間部１１ａは、係止リング４の上方に延在して、Ｕ字状に束ねられた状態で野縁受けに巻き掛けられる。中間部１１ａは、野縁受けの外周形状に沿って一周して巻き掛けられている。中間部１１ａの先端部のＵ字部分には、紐部材１１の端部１１ｂ，１１ｂが下方に向かって挿通されている。端部１１ｂ，１１ｂは、係止リング４を通過して下方に延出する。紐部材１１の両端部１１ｂ，１１ｂには、コードストッパ１２の両端部がそれぞれ固定されている。紐部材１１の端部１１ｂのコードストッパ１２よりも外側部分には結び目が形成されており、コードストッパ１２が紐部材１１の端部１１ｂから抜け落ちるのを防止している。
【００２５】
コードストッパ１２は、紐部材１１の任意位の位置で紐部材１１を噛み込むことで、その位置に固定される部材である。図１の（ｂ）にも示すように、コードストッパ１２は、外筒部材１３と挿入部材１４とを備えている。外筒部材１３は、軸方向中間部が塞がれており、両端部に筒部１５が形成されている。外筒部材１３の外径は、係止リング４の内径よりも小さい寸法である。具体的には、コードストッパ１２に紐部材１１を挿通して固定した状態で、コードストッパ１２の軸方向を上下に立てた状態で係止リング４を通過できる寸法である。外筒部材１３は、筒部１５の開放側端部から内側（中間部寄り）に挿入部材１４を挿入できるようになっている。筒部１５には、一対の貫通孔１６，１６が形成されている。貫通孔１６は、正面視円形を呈しており、紐部材１１が挿通可能な内径を備えている。貫通孔１６，１６は、互いに対向する位置に形成されている。
【００２６】
筒部１５の内側底部には、バネ部材１７が設けられている。バネ部材１７は、一端が挿入部材１４の先端面に当接し、他端が筒部１５の内側底部に当接している。バネ部材１７は、挿入部材１４の先端と筒部１５の内側底部との間に圧縮状態で装着されており、挿入部材１４を外側に付勢している。
【００２７】
挿入部材１４は、円柱形状を呈している。挿入部材１４には、貫通孔１８が形成されている。貫通孔１８は、円柱の径方向に延在しており、外筒部材１３の貫通孔１６と同等の内径を有している。挿入部材１４の外側端部には、鍔部１９が形成されている。鍔部１９は、挿入部材１４を外筒部材１３に押し込んだ時に、筒部１５の開放側端部に当接することで、挿入深さのストッパの役目を果たす。挿入部材１４を一番奥（鍔部１９が筒部の開放側端部に当接する位置）まで押し込んだ時に、貫通孔１８が、筒部１５の貫通孔１６，１６と同軸状に位置するようになっている（図１の（ｂ）参照）。この状態で、コードストッパ１２は、紐部材１１に対して移動可能となる。このとき、バネ部材１７は、挿入部材１４の先端と筒部１５の内側底部との間で圧縮されており、挿入部材１４を外側に付勢している。挿入部材１４を外筒部材１３に押し込むのをやめると、挿入部材１４がバネ部材１７によって、外筒部材１３から押し出される方向に押されて、紐部材１１が挟まれて噛み込まれる（図１の（ａ）参照）。これによって、コードストッパ１２が紐部材１１に固定される。コードストッパ１２は、紐部材１１の任意の位置で固定可能である。
【００２８】
コードストッパ１２は、係止リング４の軸方向に直交する方向（水平方向）に延在している。コードストッパ１２の外形寸法のうち、係止リング４の軸方向（紐部材１１の挿通（通過）方向）に直交する方向における最も長い寸法（挿入部材１４，１４の両端間の距離）は、係止リング４の内径寸法よりも大きい。これによって、コードストッパ１２は、水平方向に延在した状態で係止リング４を通過不可能となっている。このようなコードストッパ１２は、係止リング４を係止する。具体的には、係止リング４は、コードストッパ１２から上方に延在した紐部材１１に掛け止められている。つまり、一体化されたコードストッパ１２は、紐部材１１を介して係止リング４を係止していることとなる。
【００２９】
次に、取付部材１０を用いて養生シート（シート状部材３）を野縁受け（支持部材２）に取り付ける作業手順を、図３を参照しながら説明する。
【００３０】
図３の（ａ）に示すように、まず、野縁受けに取付部材１０を巻き掛ける。具体的には、紐部材１１の中間部１１ａを野縁受けの外周形状に沿って一周して巻き掛ける。中間部１１ａの先端部のＵ字部分に、コードストッパ１２とともに紐部材１１の端部１１ｂ，１１ｂを下方に向かって挿通する。そして、紐部材１１の端部１１ｂ，１１ｂを下方に向かって引っ張る。すると、中間部１１ａの先端部が窄まって、コードストッパ１２が通過する隙間がなくなるので、野縁受けに取付部材１０が固定される。
【００３１】
図３の（ｂ）に示すように、養生シートの係止リング４，４が上下に重なるように、端部同士を重ね合わせる。その後、野縁受けに固定しておいた取付部材１０のコードストッパ１２と紐部材１１の端部１１ｂ，１１ｂを、上側から係止リング４，４に挿通させて、養生シートの下方に引き出す。このとき、コードストッパ１２の軸方向を縦にした状態で、コードストッパ１２を係止リング４，４に挿通させる。
【００３２】
次に、図３の（ｃ）に示すように、係止リング４，４の下方に引き出されたコードストッパ１２の軸方向を、横にした状態とする。ここでコードストッパ１２の軸方向（長手方向）寸法は、係止リング４の内径よりも大きくなるので、コードストッパ１２に係止リング４が係止される。よって、養生シートを野縁受けに確実に固定することができる。
【００３３】
最後に、コードストッパ１２の両端の挿入部材１４を筒部１５の底部側に押さえつつ、紐部材１１の両方の端部１１ｂ，１１ｂを下方に引っ張って、野縁受け周りの紐部材１１の中間部１１ａを絞る（図１の（ａ）の状態）。このようにすれば、紐部材１１が野縁受けの外周面に追従して、野縁受けが締め付けられるので、養生シートを安定した状態で野縁受けに取り付けることができる。
【００３４】
一方、養生シートを取り外すときには、前記工程と逆の手順で作業を行う。つまり、コードストッパ１２を紐部材１１の両端部１１ｂ，１１ｂまで移動させて、紐部材１１の締め付けを緩める（図３の（ｃ）の状態）。そして、コードストッパ１２の軸方向を縦にした状態で、コードストッパ１２を係止リング４，４の下側から挿通させる。すると、紐部材１１の両端部１１ｂ，１１ｂが、係止リング４，４から抜けだし、養生シートが取り外し可能となる。
【００３５】
天井工事の全工程が完了して、養生シートを完全に撤去する場合は、養生シートを取り外した後に、取付部材１０も取り外す。取付部材１０を取り外すには、中間部１１ａの先端部のＵ字部分から、コードストッパ１２とともに紐部材１１の端部１１ｂ，１１ｂを引き抜く。そして、紐部材１１の端部１１ｂ，１１ｂを下方に向かって引っ張って、中間部１１ａを野縁受けの外周部から引き外す。
【００３６】
天井工事の工程が残っていて、養生シートを一時撤去して再度設置（復旧）する場合には、養生シートを取り外した後に、取付部材１０は取り外さずに、野縁受けに巻き掛けたまま残置した状態とする（図３の（ａ）参照）。残置した取付部材１０は、養生シートを再度設置（復旧）する際に利用される。
【００３７】
以上のような取付部材１０の構成によれば、コードストッパ１２の紐部材１１への取付けは容易であるので、取付部材１０を容易に形成できる。
【００３８】
また、取付部材１０を用いれば、取付部材１０を野縁受けに巻き掛けた後に、紐部材１１の端部１１ｂ，１１ｂとコードストッパ１２を下向きに係止リング４，４に通し、係止リング４の下方でコードストッパ１２を横向きにする」といった簡単な作業で、養生シートを野縁受けに固定することができる。以上のように、従来行っていた紐を結ぶ作業が省略できるので、取付作業の手間が低減される。
【００３９】
さらに、コードストッパ１２の下方に紐部材１１の端部１１ｂを引っ張るだけで、野縁受け周りの紐部材１１を絞ることができ、シート状部材を安定した状態で取り付けることができる。
【００４０】
また、養生シートは、係止リング４，４同士が重なり合うことで、隣り合う養生シートの周縁部同士が重なり合っている。これによって、養生シート間に隙間ができないので、隙間を塞ぐ作業は必要ない。
【００４１】
一方、養生シートを取り外すときには、従来行っていた紐を解く作業などがないので、容易に養生シートを取り外すことができる。
【００４２】
さらに、本発明の天井養生構造１およびシート状部材の取付部材１０によれば、係止リング４に紐部材１１の端部１１ｂとコードストッパ１２を挿通させて、係止リング４をコードストッパ１２，１２に係止しているので、養生シート本体にバインド線やタッカー針を貫通させる必要はない。したがって、養生シートを傷付けることもない。
【００４３】
また、本発明のシート状部材の一時撤去復旧方法によれば、取付部材１０を野縁受けに巻き掛けたまま残置した状態で、コードストッパ１２を係止リング４，４に通過させて養生シートを一時撤去し、残置した取付部材１０を用いて養生シートを再度取り付けるようにしたことによって、一時撤去および復旧作業を行う際に、取付部材１０の撤去および取付作業を省略することができる。したがって、養生シートの撤去および取付作業を行うだけで済むので、作業手間を低減することができる。
【００４４】
次に、図４を参照しながら、第一実施形態に係る取付部材１０を用いて、養生シート同士を連結する場合の構成を説明する。ここでは、支持部材が配置されていない。
【００４５】
図示するように、養生シートの係止リング４，４は上下方向に重ね合わさって配置されている。紐部材１１の中間部１１ａは、上側の係止リング４の上方に延在して、Ｕ字状に束ねられた状態で上側の係止リング４の枠部に巻き掛けられる。枠部に巻き掛けられた中間部１１ａの先端部のＵ字部分には、紐部材１１の端部１１ｂ，１１ｂが下方に向かって挿通されている。
【００４６】
Ｕ字部分を挿通した紐部材１１の端部１１ｂ，１１ｂとコードストッパ１２は、下側の係止リング４に、下方に向かって挿通している。下方に挿通されたコードストッパ１２は、係止リング４の軸方向に直交する方向（水平方向）に延在している。コードストッパ１２は、水平方向に延在した状態で係止リング４を通過不可能となっているので、係止リング４を係止する。これによって、上下の係止リング４，４が取付部材１０によって固定され、養生シート同士が連結される。このように取付部材１０を用いて養生シート同士を連結すれば、支持部材２（野縁受け）の間隔が広くても、養生シート同士の連結ピッチを小さくできる。これによって、隣り合う養生シート間に発生する隙間を小さくできる。
【００４７】
本発明の第二実施形態に係る天井養生構造およびシート状部材の取付部材について図５および図６を参照しつつ詳細に説明する。図５に示すように、本実施形態に係る天井養生構造１０１では、取付部材１１０は、紐部材１１と、一対のコードストッパ１１２，１１２を備えている。つまり、連結部材が、互いに着脱可能な一対のコードストッパ１１２，１１２にて構成されており、一対のコードストッパ１１２，１１２は、係止リング４の下方で一体化されて、係止リング４を係止している。
【００４８】
コードストッパ１１２は、紐部材１１の任意の位置で紐部材１１を噛み込むことで、その位置に固定される部材である。図５の（ｂ）にも示すように、コードストッパ１１２は、外筒部材１３と挿入部材１４とを備えている。外筒部材１３は、筒部１５の一端が塞がれた有底円筒形状を呈している。外筒部材１３の外径は、係止リング４の内径よりも小さい寸法である。具体的には、コードストッパ１１２に紐部材１１を挿通して固定した状態で、コードストッパ１１２の軸方向を上下に立てた状態で係止リング４を通過できる寸法である。外筒部材１３は、筒部１５の開放側端部から内側に挿入部材１４を挿入できるようになっている。筒部１５には、一対の貫通孔１６，１６が形成されている。貫通孔１６は、正面視円形を呈しており、紐部材１１が挿通可能な内径を備えている。貫通孔１６，１６は、互いに対向する位置に形成されている。
【００４９】
筒部１５の内側底部には、バネ部材１７が設けられている。バネ部材１７は、一端が挿入部材１４の先端面に当接し、他端が筒部１５の内側底部に当接している。バネ部材１７は、挿入部材１４の先端と筒部１５の内側底部との間に圧縮状態で装着されており、挿入部材１４を外側に付勢している。
【００５０】
挿入部材１４は、円柱形状を呈している。挿入部材１４には、貫通孔１８が形成されている。貫通孔１８は、円柱の径方向に延在しており、外筒部材１３の貫通孔１６と同等の内径を有している。挿入部材１４の外側端部には、鍔部１９が形成されている。鍔部１９は、挿入部材１４を外筒部材１３に押し込んだ時に、筒部１５の開放側端部に当接することで、挿入深さのストッパの役目を果たす。挿入部材１４を一番奥（鍔部１９が筒部の開放側端部に当接する位置）まで押し込んだ時に、貫通孔１８が、筒部１５の貫通孔１６，１６と同軸状に位置するようになっている（図５の（ｂ）参照）。この状態で、コードストッパ１１２は、紐部材１１に対して移動可能となる。このとき、バネ部材１７は、挿入部材１４の先端と筒部１５の内側底部との間で圧縮されており、挿入部材１４を外側に付勢している。挿入部材１４を外筒部材１３に押し込むのをやめると、挿入部材１４がバネ部材１７によって、外筒部材１３から押し出される方向に押されて、紐部材１１が挟まれて噛み込まれる（図５の（ａ）参照）。これによって、コードストッパ１１２が紐部材１１に固定される。コードストッパ１１２は、紐部材１１の任意の位置で固定可能である。
【００５１】
筒部１５の閉塞側端部には、他方のコードストッパ１１２と着脱するための着脱機構が形成されている。図５中、左側に図示された一方のコードストッパ１１２（以下、区別するときは「コードストッパ１１２ａ」と言う場合がある）には、着脱機構として凸部２１が形成されている。凸部２１の先端部には、基端側から先端側に向かうに連れて一旦縮径したのちに拡径する係止部２２が形成されている。つまり、係止部２２は、縮径部分２２ａと拡径部分２２ｂとを備えている。拡径部分２２ｂは、凸部２１の基端部と同等の外径を備えている。拡径部分２２ｂの先端にはコードストッパ１１２の軸方向に延在するスリットが形成されており、拡径部分２２ｂが拡縮可能となっている。拡径部分２２ｂの先端側周縁角部と基端側周縁角部は、テーパ形状になっている。
【００５２】
図５中、右側に図示された他方のコードストッパ１１２（以下、区別するときは「コードストッパ１２ｂ」と言う場合がある）には、着脱機構として凹部２３が形成されている。凹部２３の底部には、凸部２１の係止部２２を係止させる係止受部２４が形成されている。凹部２３は、係止受部２４も含めて、凸部２１の外周面に沿った内周面を備えている。係止受部２４は、縮径部分２４ａと拡径部分２４ｂとを備えている。凹部２３は、凸部２１が嵌合する内周形状になっている。
【００５３】
凸部２１を凹部２３に押し込むと、係止部２２の拡径部分２２ｂのテーパ形状の先端側周縁角部が凹部２３の係止受部２４の縮径部分２４ａの内周面に当接して、係止部２２の拡径部分２２ｂが縮径する。拡径部分２２ｂは、縮径した状態で凹部２３の縮径部分２４ａを通過して奥まで移動し、拡径部分２４ｂに到達したところで元の形状に戻って（拡径して）、拡径部分２４ｂに嵌合する。
【００５４】
一方、嵌合した状態の凸部２１を凹部２３から引っ張ると、係止部２２の拡径部分２２ｂのテーパ形状の基端側周縁角部が凹部２３の縮径部分２４ａの先端部分の内周面に押されて、拡径部分２４ｂが縮径する。拡径部分２４ｂは、縮径した状態で凹部２３の縮径部分２４ａを通過して凹部２３の基端部まで移動し、元の形状に戻る。凸部２１が凹部２３から引き出されると、コードストッパ１１２ａ，１１２ｂが分離する。
【００５５】
一対のコードストッパ１１２，１１２は、分離された状態で個々に係止リング４を通過可能な形状になっている。本実施形態では、コードストッパ１１２の軸方向を上下に立てた状態で、係止リング４を通過可能となっている。なお、本実施形態では、両方のコードストッパ１１２，１１２が、それぞれ係止リング４を通過可能になっているが、少なくとも一方のコードストッパ１１２が係止リング４を通過可能な形状になっていればよく、他方のコードストッパ１１２が係止リング４を通過できない形状であってもよい。
【００５６】
凸部２１を凹部２３に嵌合させて、一対のコードストッパ１１２，１１２を一体化させる。一体化されたコードストッパ１１２，１１２は、係止リング４の軸方向に直交する方向（水平方向）に延在している。一体化されたコードストッパ１１２，１１２の外径寸法のうち、係止リング４の軸方向（紐部材１１の挿通（通過）方向）に直交する方向における最も長い寸法（挿入部材１４の端部から、他方の挿入部材１４までの距離）は、係止リング４の内径寸法よりも大きい。これによって、一対のコードストッパ１１２，１１２は、一体化されて水平方向に延在した状態で係止リング４を通過不可能となっている。このように一体化されたコードストッパ１１２，１１２は、係止リング４を係止する。具体的には、係止リング４は、コードストッパ１１２から上方に延在した紐部材１１に掛け止められている。つまり、一体化されたコードストッパ１１２，１１２は、紐部材１１を介して係止リング４を係止している。
【００５７】
次に、取付部材１１０を用いて養生シート（シート状部材３）を野縁受け（支持部材２）に取り付ける作業手順を、図６を参照しながら説明する。
【００５８】
図６の（ａ）に示すように、まず、養生シートの係止リング４，４が上下に重なるように、端部同士を重ね合わせる。その後、予め紐部材１１の両端にコードストッパ１１２，１１２を取り付けて形成しておいた取付部材１１０を養生シートに取り付ける。具体的には、コードストッパ１１２を縦方向に向けた状態で、紐部材１１の一方の端部１１ｂとコードストッパ１１２を、下側から係止リング４，４に挿通させて、養生シートの上方に引き出す。このとき、コードストッパ１１２は一体化されていないので、係止リング４を通過可能である。なお、挿通させるコードストッパ１１２は、凸部２１を有するコードストッパ１１２ａと、凹部２３を有するコードストッパ１１２ｂのどちらでもよい。
【００５９】
次に、図６の（ｂ）に示すように、取付部材１０を取り回して、紐部材１１の中間部１１ａを野縁受け（支持部材２）に巻き掛ける。その後、コードストッパ１１２を縦方向に向けた状態で、紐部材１１の端部１１ｂとコードストッパ１１２を、上側から係止リング４，４に挿通させて、養生シートの下方に引き出す。
【００６０】
そして、図６の（ｃ）に示すように、コードストッパ１１２ａの凸部２１を、コードストッパ１１２ｂの凹部２３に押し込んで、コードストッパ１１２，１１２を一体化して水平状態にする。ここで一体化されたコードストッパ１１２，１１２の長手方向寸法は、係止リング４の内径よりも大きくなるので、コードストッパ１１２，１１２に係止リング４が係止される。よって、養生シートを野縁受けに確実に固定することができる。
【００６１】
最後に、コードストッパ１２の挿入部材１４を筒部１５の底部側に押さえつつ、紐部材１１の端部１１ｂを下方に引っ張って、野縁受け周りの紐部材１１の中間部１１ａを絞る。このようにすれば、紐部材１１が野縁受けの外周面に追従して、野縁受けが締め付けられるので、養生シートを安定した状態で野縁受けに取り付けることができる。
【００６２】
以上のような取付部材１０の構成によれば、コードストッパ１１２，１１２の紐部材１１への取付けは容易であるので、取付部材１０を容易に形成できる。
【００６３】
また、取付部材１１０を用いれば、「紐部材１１の一方の端部１１ｂとコードストッパ１１２を上向きに係止リング４に通して、係止リング４の上方で紐部材１１を野縁受けに巻き掛けたのちに、紐部材１１の一方の端部１１ｂとコードストッパ１１２を下向きに係止リング４に通し、係止リング４の下方で一対のコードストッパ１１２，１１２を一体化する」といった簡単な作業で、養生シートを野縁受けに固定することができる。以上のように、コードストッパ１１２，１１２を一体化することで、従来行っていた紐を結ぶ作業が省略できるので、取付作業の手間がより一層低減される。
【００６４】
さらに、コードストッパ１１２の下方に紐部材１１の端部１１ｂを引っ張るだけで、野縁受け周りの紐部材１１を絞ることができ、シート状部材を安定した状態で取り付けることができる。
【００６５】
また、養生シートは、係止リング４，４同士が重なり合うことで、隣り合う養生シートの周縁部同士が重なり合っている。これによって、養生シート間に隙間ができないので、隙間を塞ぐ作業は必要ない。
【００６６】
一方、養生シートを取り外すときには、コードストッパ１１２，１１２を分離させて、前記工程と逆の手順で作業を行えばよい。この場合も紐を解く作業などがないので、容易に養生シートを取り外すことができる。
【００６７】
さらに、本発明の天井養生構造１０１およびシート状部材の取付部材１１０によれば、係止リング４に紐部材１１の端部１１ｂとコードストッパ１１２を挿通させて、係止リング４をコードストッパ１１２，１１２に係止しているので、養生シート本体にバインド線やタッカー針を貫通させる必要はない。したがって、養生シートを傷付けることもない。
【００６８】
次に、図７を参照しながら、第二実施形態の変形例に係る天井養生構造１０１ａの構成を説明する。かかる天井養生構造１ａは、第二実施形態では、隣り合うシート状部材３，３の係止リング４，４同士が、上下方向に重なり合っていたのに対して、変形例では、係止リング４が横方向に隣り合っている点で異なっている。なお、支持部材２、シート状部材３および取付部材１０の構成は、前記実施形態と同じであるので、同じ符号を付して説明を生薬する。本実施形態は、シート状部材３の配置形態と、紐部材１１の取り回し位置が前記実施形態と異なっている。
【００６９】
紐部材１１の端部１１ｂとコードストッパ１１２は、隣り合う係止リング４，４のそれぞれに片方ずつ挿通して、下方に延出している。コードストッパ１１２，１１２は、係止リング４，４の近接している枠部４ａ，４ａの下方で一体化されている。これによって、係止リング４は、紐部材１１とコードストッパ１１２，１１２とで形成される環に交差して係止される。したがって、コードストッパ１１２，１１２を分離しない限り、係止リング４を取り外すことができない。これによって、養生シートと支持部材との固定性能がより一層向上する。さらに、隣り合う養生シートの重合部分が前記実施形態よりも小さくなるので、敷設されるシート面積を大きくすることができる。なお、隣り合う養生シート間の隙間は、係止リング４の外側のシート同士が重なり合って塞がれている。
【００７０】
以上、本発明を実施するための形態についてそれぞれ説明したが、本発明は前記の実施形態に限定されず、本発明の趣旨を逸脱しない範囲で、材質、形状や大きさなど適宜設計変更が可能である。例えば、前記実施形態では、養生シート（シート状部材）を野縁受け（支持部材）に取り付ける場合を例に挙げて説明したが、これに限定されるものではない。シート状部材は養生ネットなど他のものであってもよい。
【００７１】
また、前記の第二実施形態では、二つのコードストッパ１１２，１１２は同軸状に配置されて一体化されているが、これに限定されるものではない。たとえば、コードストッパ１１２，１１２の軸方向が並列して配置されていてもよい。さらに着脱機構等は、他の形状であってもよい。
【符号の説明】
【００７２】
１      天井養生構造
２      支持部材
３      シート状部材
４      係止リング
１０    取付部材
１１    紐部材
１１ｂ  端部  
１２    コードストッパ（連結部材）
１０１  天井養生構造
１１０  取付部材
１１２  コードストッパ（連結部材）
【図１】
0006408267.tif 000002
【図２】
0006408267.tif 000003
【図３】
0006408267.tif 000004
【図４】
0006408267.tif 000005
【図５】
0006408267.tif 000006
【図６】
0006408267.tif 000007
【図７】
0006408267.tif 000008